(57)【要約】【課題】情報の入力が容易に行える看護支援システム及び端末装置を提供する。【解決手段】病院内にタグ情報を有する非接触タグ装置１０１を設置する。端末装置２００は、前記タグ情報を読み取り、その前記タグ情報に基づいてキーワードを表示する。前記キーワードに関係する情報を入力し、サーバ装置３００に送信する。サーバ装置３００は、前記メモ情報を受信すると共に、前記メモ情報を受信したことを知らせる通知情報を端末装置２００に送信する。端末装置２００は、新着メモ情報があることを知らせる通知手段２０７を動作させる。【選択図】図１
2006260252.tif 000002
【特許請求の範囲】
【請求項１】
患者、医療スタッフ、来院者、医療機器、薬剤の容器又は薬品棚、又は病院内の各エリアの少なくとも一つに配置されタグ情報を有する非接触タグ装置と、サーバ装置と、前記サーバ装置に通信回線を介して接続された端末装置を備えた看護支援システムであって、
前記端末装置は、
前記タグ情報を読み取る非接触タグ読取手段と、
前記タグ情報に基づいてキーワードを表示する表示手段と、
前記キーワードに関係する情報の入力を受け付けて、前記入力を受け付けた情報と前記キーワードとに基づいてメモ情報を生成するメモ情報生成手段と、
前記サーバ装置と送受信するための端末側通信手段であって、前記メモ情報を前記サーバ装置に送信するとともに、前記サーバ装置から新たなメモ情報を取得したことを知らせる通知情報を受信するための端末側通信手段とを備え、
前記サーバ装置は、前記端末装置と送受信するためのサーバ側通信手段であって、前記メモ情報を受信すると共に、前記メモ情報を受信したことを知らせる通知情報を前記端末装置に送信する、
ことを特徴とする看護支援システム。
【請求項２】
前記患者、医療スタッフ、来院者、又は医療機器に配置された非接触タグ装置のタグ情報は、前記患者、医療スタッフ、来院者、又は医療機器を識別するための識別情報を含み、前記薬剤の容器又は薬品棚に配置された非接触タグ装置のタグ情報は、看護行為の内容を示すオーダ情報を含み、前記病院内の各エリアに配置された非接触タグ装置のタグ情報は、病院内の位置識別情報を含み、
前記端末装置は、前記タグ情報を格納するタグ情報格納手段を更に備え、
前記表示手段は、前記タグ情報格納手段から読み出した複数の前記タグ情報に含まれる前記識別情報に基づいて複数のキーワードを表示する、
ことを特徴とする請求項１に記載の看護支援システム。
【請求項３】
前記サーバ装置は、
前記メモ情報を格納するための医療情報格納手段と、
前記医療情報格納手段から所望する前記メモ情報を抽出する抽出手段と、を更に備え、
前記メモ情報は、そのメモ情報が示す業務が実施済みか否かを示す実施情報を含み、
前記端末装置の端末側通信手段は、前記医療情報格納手段から所定の条件を満たす前記メモ情報を抽出する要求情報を前記サーバ装置に送信し、
前記サーバ装置のサーバ側通信手段は前記要求情報を受信し、前記抽出手段は、前記要求情報に応じて前記医療情報格納手段から前記所定の条件を満たす前記メモ情報を抽出し、前記サーバ側通信手段は前記抽出したメモ情報を前記端末装置に送信し、
前記端末装置の端末側通信手段は前記メモ情報を受信し、前記表示手段は前記メモ情報と前記メモ情報に含まれる前記実施情報とを一覧表示する、
ことを特徴とする請求項１又は２に記載の看護支援システム。
【請求項４】
前記端末装置は、前記メモ情報に、前記タグ情報を読み取った時間、前記キーワードに関係する情報を入力した時間、又は前記サーバ装置に対して送信する時間のうち少なくともとも一つの時間を示す時間情報を付加する時間情報付加手段を更に備え、
前記端末側通信手段は、前記時間情報が付加されたメモ情報を前記サーバ装置に送信する、
ことを特徴とする請求項１乃至３のいずれか一つに記載の看護支援システム。
【請求項５】
病院内に位置してタグ情報を有する非接触タグ装置から前記タグ情報を読み取る非接触タグ読取手段と、
前記タグ情報を格納するタグ情報格納手段と、
前記タグ情報に基づいてキーワードを表示する表示手段と、
前記キーワードに関係する情報の入力を受け付けて、前記入力を受け付けた情報と前記キーワードとに基づいてメモ情報を生成するメモ情報生成手段と、
前記メモ情報に、前記タグ情報を読み取った時間、前記キーワードに関係する情報を入力した時間、又は前記メモ情報を送信する時間のうち少なくともとも一つの時間を示す時間情報を付加する時間情報付加手段と、
通信回線を介して接続されたサーバ装置と送受信するための端末側通信手段であって、前記時間情報が付加されたメモ情報を送信するとともに、前記サーバ装置から新たなメモ情報を取得したことを知らせる通知情報を受信するための端末側通信手段と、
を備えることを特徴とする端末装置。
【請求項６】
病院内に位置してタグ情報を有する非接触タグ装置から読み取った前記タグ情報を取得するタグ情報取得ステップと、
前記タグ情報を格納するタグ情報格納ステップと、
前記タグ情報に基づいてキーワードを表示する表示ステップと、
前記キーワードに関係する情報の入力を受け付けて、前記入力を受け付けた情報と前記キーワードとに基づいてメモ情報を生成するメモ情報生成ステップと、
前記メモ情報に、前記タグ情報を読み取った時間、前記キーワードに関係する情報を入力した時間、又は前記メモ情報を送信する時間のうち少なくともとも一つの時間を示す時間情報を付加する時間情報付加ステップと、
通信回線を介して接続されたサーバ装置に前記時間情報が付加されたメモ情報を送信するステップと、
をコンピュータに実行させる端末装置制御プログラム。
【発明の詳細な説明】
【技術分野】
【０００１】
本発明は、看護支援システム、端末装置、及び端末装置制御プログラムに係り、特に端末装置における医療情報の入力を容易にする技術に関する。
【背景技術】
【０００２】
医療現場において、看護師が医療情報を収集した場合、手の甲や紙などにメモを取り、そのメモを基に口頭で他の看護師、医師などの医療スタッフに連絡をすることがある。
【０００３】
特許文献１には、病院内でオーダ情報やメモ情報を入力するシステムとして、指示項目を入力するための入力画面を医師の思考に沿った順序で表示させる病院情報システムが開示されている。
【特許文献１】特開２００３−２７１７３２号公報
【発明の開示】
【発明が解決しようとする課題】
【０００４】
しかし、特許文献１の病院情報システムでは、指示項目が多い場合には、医療現場で入力に要する時間がかかるという問題点があった。
【０００５】
本発明は、上記問題に鑑みて成されたものであり、情報の入力が容易に行える看護支援システム及び端末装置を提供することを目的とする。
【課題を解決するための手段】
【０００６】
上記問題を解決するために、本発明に係る看護支援システムは、患者、医療スタッフ、来院者、医療機器、薬剤の容器又は薬品棚、又は病院内の各エリアの少なくとも一つに配置されタグ情報を有する非接触タグ装置と、サーバ装置と、前記サーバ装置に通信回線を介して接続された端末装置を備えた看護支援システムであって、前記端末装置は、前記タグ情報を読み取る非接触タグ読取手段と、前記タグ情報を格納するタグ情報格納手段と、前記タグ情報に基づいてキーワードを表示する表示手段と、前記キーワードに関係する情報の入力を受け付けて、前記入力を受け付けた情報と前記キーワードとに基づいてメモ情報を生成するメモ情報生成手段と、前記サーバ装置と送受信するための端末側通信手段であって、前記メモ情報を前記サーバ装置に送信するとともに、前記サーバ装置から新たなメモ情報を取得したことを知らせる通知情報を受信するための端末側通信手段とを備え、前記サーバ装置は、前記端末装置と送受信するためのサーバ側通信手段であって、前記メモ情報を受信すると共に、前記メモ情報を受信したことを知らせる通知情報を前記端末装置に送信する。
【０００７】
また前記患者、医療スタッフ、来院者、又は医療機器に配置された非接触タグ装置のタグ情報は、前記患者、医療スタッフ、来院者、又は医療機器を識別するための識別情報を含み、前記薬剤の容器又は薬品棚に配置された非接触タグ装置のタグ情報は、看護行為の内容を示すオーダ情報を含み、前記病院内の各エリアに配置された非接触タグ装置のタグ情報は、病院内の位置識別情報を含み、前記端末装置は、前記タグ情報を格納するタグ情報格納手段を更に備え、前記表示手段は、前記タグ情報格納手段から読み出した複数の前記タグ情報に含まれる前記識別情報に基づいて複数のキーワードを表示してもよい。
【０００８】
また前記サーバ装置は、前記メモ情報を格納するための医療情報格納手段と、前記医療情報格納手段から所望する前記メモ情報を抽出する抽出手段と、を更に備え、前記メモ情報は、そのメモ情報が示す業務が実施済みか否かを示す実施情報を含み、前記端末装置の端末側通信手段は、前記医療情報格納手段から所定の条件を満たす前記メモ情報を抽出する要求情報を前記サーバ装置に送信し、前記サーバ装置のサーバ側通信手段は前記要求情報を受信し、前記抽出手段は、前記要求情報に応じて前記医療情報格納手段から前記所定の条件を満たす前記メモ情報を抽出し、前記サーバ側通信手段は前記抽出したメモ情報を前記端末装置に送信し、前記端末装置の端末側通信手段は前記メモ情報を受信し、前記表示手段は前記メモ情報と前記メモ情報に含まれる前記実施情報とを一覧表示してもよい。
【０００９】
更に、前記端末装置は、前記情報に、前記タグ情報を読み取った時間、前記キーワードに関係する情報を入力した時間、又は前記サーバ装置に対して送信する時間のうち少なくともとも一つの時間を示す時間情報を付加する時間情報付加手段を更に備え、前記端末側通信手段は、前記時間情報が付加されたメモ情報を前記サーバ装置に送信してもよい。
【００１０】
ここでいう「前記キーワードに関係する情報を入力した時間」には、ユーザがキーワードに関係する情報を入力した時間を端末装置で自動入力する場合と、ユーザが端末装置の入力手段を用いて入力する場合（いわゆる手入力する場合）とを含む
また、本発明に係る端末装置は、病院内に位置してタグ情報を有する非接触タグ装置から前記タグ情報を読み取る非接触タグ読取手段と、前記タグ情報を格納するタグ情報格納手段と、前記タグ情報に基づいてキーワードを表示する表示手段と、前記キーワードに関係する情報の入力を受け付けて、前記入力を受け付けた情報と前記キーワードとに基づいてメモ情報を生成するメモ情報生成手段と、前記キーワード及び前記キーワードに関係する情報からなるメモ情報に、前記タグ情報を読み取った時間、前記キーワードに関係する情報を入力した時間、又は前記メモ情報を送信する時間のうち少なくともとも一つの時間を示す時間情報を付加する時間情報付加手段と、通信回線を介して接続されたサーバ装置と送受信するための端末側通信手段であって、前記時間情報が付加されたメモ情報を送信するとともに、前記サーバ装置から新たなメモ情報を取得したことを知らせる通知情報を受信するための端末側通信手段と、を備える。
【００１１】
また本発明に係る端末装置制御プログラムは、病院内に位置してタグ情報を有する非接触タグ装置から読み取った前記タグ情報を取得するタグ情報取得ステップと、前記タグ情報を格納するタグ情報格納ステップと、前記タグ情報に基づいてキーワードを表示する表示ステップと、前記キーワードに関係する情報の入力を受け付けて、前記入力を受け付けた情報と前記キーワードとに基づいてメモ情報を生成するメモ情報生成ステップと、前記メモ情報に、前記タグ情報を読み取った時間、前記キーワードに関係する情報を入力した時間、又は前記メモ情報を送信する時間のうち少なくともとも一つの時間を示す時間情報を付加する時間情報付加ステップと、通信回線を介して接続されたサーバ装置に前記時間情報が付加されたメモ情報を送信するステップと、をコンピュータに実行させる。
【発明の効果】
【００１２】
本発明によれば、非接触タグ読取装置が読み取ったタグ情報に基づいてキーワードが自動入力されて表示される。そのため、医療スタッフは自動入力では足りない情報を追加すればよく、看護支援システムへ入力が容易になる。
【発明を実施するための最良の形態】
【００１３】
以下、図面を用いて本発明の好ましい実施形態について説明する。
【００１４】
本実施形態は、病院の各所（患者、医療スタッフ、薬剤、医療機器、来院者、病院の所定エリアの出入口など）に非接触タグ装置を設置し、非接触タグ装置からの入力情報に基づいてメモ情報やオーダ情報を端末装置に自動入力する看護支援システムである。
【００１５】
＜第一実施形態＞
[ハードウェアの概略構成]
図１は看護支援システムのシステム構成の一例を示すブロック図である。
【００１６】
看護支援システム１００は、非接触タグ装置１０１、院内情報システム１１０、看護支援端末２００、看護支援サーバ３００、とを備え、院内情報システム１１０、看護支援サーバ３００、看護支援端末２００は、ＬＡＮ（院内ネットワーク）１０６により互いに接続される。
【００１７】
院内情報システム１１０には、電子カルテシステム１１１、医事会計システム１１２、ＨＩＳ（病院情報システム）１１３、ＲＩＳ（放射線情報システム）１１４、ＰＡＣＳ（医療画像サーバ）１１５、ＣＴ、ＭＲＩなどの医用画像撮影装置（モダリティ）１１６、レポートシステム１１７が含まれる。
【００１８】
看護支援サーバ３００は、ユーザ認証手段３０１、医療情報データベース３０２、通信手段３０３、制御手段３０４、医療情報取得手段３０５、時間取得手段３０６を備える。
【００１９】
次に非接触タグ装置１０１について説明する。図２は、非接触タグ装置１０１の設置例を示す模式図である。非接触タグ装置１０１は、患者,医療スタッフ、来院者の名札、体温計や心電モニタセンサーなどの医療機器、薬剤の容器あるいは薬品棚、病室の出入口の内側など病院内の各エリアに取り付けられる。患者、医療スタッフの名札に取りつけられる非接触タグ装置１０１のタグ情報は、患者や医療スタッフの識別情報を含む。医療機器に取り付けられる非接触タグ装置１０１のタグ情報は、医療機器の識別情報を含む。薬剤の容器あるいは薬品棚に取りつけられる非接触タグ装置１０１のタグ情報は、オーダ識別情報を含む。病院内の各エリアに取り付けられる非接触タグ装置１０１のタグ情報は、位置識別情報を含む。
【００２０】
次に看護支援端末２００について説明する。看護支援端末２００は、ＰＤＡのような携帯端末装置、固定設置型（デスクトップ型）の端末装置により構成される。看護支援端末２００は、ユーザ操作入力手段２０１、ディスプレイ２０２、通信手段２０３、データ格納手段２０４、制御手段２０５、非接触タグ読取装置２０６、通知手段２０７を備える。看護支援端末２００の例を図３に基づいて説明する。図３は看護支援端末２００の正面図であって、ユーザがメモ情報を入力するための入力画面を表示した状態を示す。
【００２１】
図３の看護支援端末２００はタッチペン２１０の入力を受け付けるＰＤＡであって、本体部正面にディスプレイ２０２を備え、そのディスプレイ２０２の下にユーザ操作入力手段２０１としての十字キー２０１Ａ、電源ボタンやメモボタンなどの各種ボタン２０１Ｂ、Ｃが配置される。ユーザ操作入力手段２０１は、更にタッチペン２１０を備える。ディスプレイ２０２の上部には、非接触タグ装置１０１からタグ情報を読み取るための非接触タグ読取装置２０６を備える。本体部の右上部には、通信手段２０３に含まれるアンテナ２０３Ａを備える。通知手段２０７は、ＰＤＡの正面左上隅部に備えられたＬＥＤ２０７Ａと、ディスプレイ２２の下部に備えられたスピーカ２０７Ｂとを備える。また看護支援端末２００は、ＬＥＤ２０７Ａに隣接して設けられたカメラ２１１Ａと、スピーカ２０７Ｂに隣接して、ユーザの声を録音するためのマイク２０８とを備える。ディスプレイ２０２には、カメラ２１１Ａによる撮影を指示するためのカメラボタン（ソフトボタン）２１１と、手書き入力パネルを表示させための手書きボタン２１２と、録音指示を入力するための録音ボタン２１３と、メモ情報の入力が終わったときに通信手段２０３にメモ情報を送信させるための送信ボタン２１４とが表示される。これらのソフトボタンは、タッチペン２１０を接触させることにより選択できる。ディスプレイ２０２の他の表示内容については後述する。
【００２２】
図４は、看護支援端末２００の制御手段２０５が実行するプログラムを示すブロック図である。制御手段２０５は、プログラムであるタグ情報取得手段２０５ａ、格納制御手段２０５ｂ、表示制御手段２０５ｃ、メモ情報生成手段２０５ｄ、時間情報付加手段２０５ｅ、通信制御手段２０５ｆをデータ格納手段２０４から適宜読み出して実行する。タグ情報取得手段２０５ａは、非接触タグ読取装置２０６が読み出したタグ情報を取得する。格納制御手段２０５ｂは、タグ情報やその他の情報をデータ格納手段２０４に格納する制御を行う。表示制御手段２０５ｃは、タグ情報に基づいてキーワードをディスプレイ２０２に表示させる制御を行う。メモ情報生成手段２０５ｄは、ユーザ操作入力手段２０１や後述するカメラ２１１Ａ、マイク２０８から入力された画像データや音声データを受け付け、それらの情報をキーワードに付加してメモ情報を生成する。時間情報付加手段２０５ｅは、メモ情報に、タグ情報に読み取られた時間情報が付加されている場合にはその時間情報をメモ情報に付加し、ユーザが手入力した場合には手入力した時間情報を付加する。通信制御手段２０５ｆは、メモ情報を通信手段２０３から送信する制御を行う。
【００２３】
次に図５に従って看護支援システムの処理の流れを説明する。図５は、ユーザ、看護支援端末２００、看護支援サーバ３００間の処理の流れを示すシーケンス図である。
【００２４】
（ステップＳ５０１）
看護師、医師等の医療従事者であるユーザは、看護支援端末２００の電源ボタン２０１Ｂを押して電源を入れ、タッチペン２１０などのユーザ操作入力手段２０１を操作して看護支援端末２００から看護支援システム１００にログインする（Ｓ５０１）。このとき、ユーザを認証するためのパスワードなどがあれば入力し、看護支援サーバ３００のユーザ認証手段３０１がログインの可否を決定してもよい。
【００２５】
（ステップＳ５０２）
ログインした看護支援端末２００の非接触タグ読取装置２０６は、常時、非接触タグ装置１０１から送信されるタグ情報の受信待ち状態になる（Ｓ５０２）。
【００２６】
（ステップＳ５０３）
看護支援端末２００に備えられた非接触タグ読取装置２０６は、明示的又は定期的に看護師、患者、医薬品等に付加されている非接触タグ情報を読み取る。読み取ったタグ情報は、データ格納手段２０４に格納する（Ｓ５０３）。
【００２７】
（ステップＳ５０４）
ユーザは、看護支援端末２００のメモボタン２０１Ｃを押す（Ｓ５０４）。
【００２８】
（ステップＳ５０５）
看護支援端末２００の制御手段２０５は、データ格納手段２０４からＳ５０３で格納したタグ情報を読み出し、そのタグ情報に含まれる各種識別情報をキーワードとして自動入力したメモ入力画面をディスプレイ２０２に表示する（Ｓ５０５）。図３は、このメモ入力画面の画面表示例である。メモ入力画面における「場所」レコードは、病室入り口に設置された非接触タグ情報から読み取った位置識別情報に基づいて表示される。「スタッフ」「患者」レコードは、スタッフ及び患者の名札に設置された非接触タグ情報１０１から読み取った識別情報に基づいて表示される。「薬剤」レコードは、薬剤の包装容器や薬品棚から読み取ったオーダ識別情報に基づいて表示される。
【００２９】
（ステップＳ５０６）
ユーザは、図３の入力画面に表示されたキーワードを組み合わせてメモ情報を作成する（Ｓ５０６）。図３の入力画面の「どのように」「どうした」「Ｓ」「Ｏ」「Ａ」「Ｐ」レコードは、プルダウンメニューの中から該当するものを選択して入力する。また、「コメント」欄には、ユーザが自由にコメント文を入力する。コメント文の入力は、タッチペン２１０を用いて図示しないひらがなパネルから文字を選択して入力してもよいし、手書きボタン２１２をタッチパネル２１０で押し、手書き入力パネルをディスプレイ２０２に表示させて文字入力してもよい。また、図３のカメラボタン２１１をタッチペン２１０で押し、カメラ２１１Ａにより撮影した画像をメモ情報につけてもよい。図６は、カメラ２１１Ａで患者の注射痕がある患部を撮影し、その画像データを看護携帯端末２００に表示した画面表示例である。看護携帯端末２００のディスプレイ２０２に画像データを表示させると、タッチペン２１０の入力モードを切り替えるためのツールボックス２１５も表示される。ユーザは円形の描画ツール「○」を選択し、注射痕をタッチペン２１０によりマルで囲む。これにより、表示画面のうち、どの部位についてのメモ情報かを明示的に示すことができる。その後、通知ボタン２１６を押すと、Ｓ５０７へ進む。
【００３０】
また、図３の録音ボタン２１３をタッチペン２１０で押し、ユーザが発声するとマイク２０８がその声を録音し、音声データをメモ情報に添付することができる。
【００３１】
（ステップＳ５０７）
看護支援端末２００の制御手段２０５は、Ｓ５０６で作成されたメモ情報に正確な時間を付加する。時間情報は、ユーザが図３の入力画面の「日時」レコードにタッチペン２１０により入力したした場合にはその入力した時間、そうでなければ、直近でタグ情報を読み取った時間又はＳ５０８において送信ボタン２１４が押されたときの時間を自動的に付加する（Ｓ５０７）。
【００３２】
（ステップＳ５０８）
ユーザが看護支援端末２００のディスプレイ２０２に表示された送信ボタン２１４をタッチペン２１０で押すと、看護支援端末２００の通信手段２０３が看護支援サーバ３００に時間情報が付加されたメモ情報を送信する（Ｓ５０８）。
【００３３】
（ステップＳ５０９）
看護支援サーバ３００の通信手段３０３は、Ｓ５０７で時間情報が付加されたメモ情報を受信し、医療情報データベース３０２に格納する（Ｓ５０９）。
【００３４】
（ステップＳ５１０）
看護支援サーバ３００の制御手段３０４は、受信したメモ情報を基に、医療スタッフへの通知情報を作成する（Ｓ５１０）。ここでいう「通知情報」とは、新しいメモ情報を看護支援サーバ３００が受信したことを示す情報であって、看護支援システム１００にログインしている看護支援端末２００にアラーム音、バイブレータ、ＬＥＤ点滅などをさせる指示情報や、受信したメモ情報の内容を転送する転送情報などである。
【００３５】
（ステップＳ５１１）
看護支援サーバ３００の通信手段３０３は、Ｓ５１０で作成した通知情報を、Ｓ５０６でメモを作成したユーザに関係する医療スタッフ、例えば同じ医療チームを構成する他の看護師、医師、関係する薬剤師、検査技師が所有する看護支援端末２００に送信する（Ｓ５１１）。
【００３６】
（ステップＳ５１２）
看護支援端末２００の通信手段２０３は、通知情報を受信し、データ格納手段２０４に格納する（Ｓ５１２）。
【００３７】
（ステップＳ５１３）
看護支援端末２００の制御手段２０５は、ユーザに、新たなメモ情報の着信があったことを知らせるために通知手段２０７を動作させる（Ｓ５１３）。例えば、図７のように看護支援端末２００のＬＥＤ２０７Ａを点滅させたり、スピーカ２０７Ｂからアラーム音を発生させたり、看護支援端末２００の本体を振動さてもよい。また、通知ボタン２１６をタッチペン２１０で押すと、ディスプレイ２０２にポップアップウィンドウを開き、新着のメモ情報を表示させてもよい。
【００３８】
本実施の形態により、非接触タグ装置１０１から読み取ったタグ情報に基づいてキーワードを自動生成し、そのキーワードを使ってメモ情報を作成するため、看護支援端末２００を操作するユーザが入力する手間を簡略化することができる。
【００３９】
＜第二実施形態＞
第二実施形態は、患者、オーダ、医療スタッフ、場所、時間、医療機器等に関連させて医療業務の進捗状況とメモをリアルタイムで表示する。
【００４０】
図８は、第二実施形態に係る看護支援端末２００のディスプレイ２０２に表示されたメモ情報の一覧表示の画面表示例である。図８の看護支援端末２００は、固定設置型の端末装置であって、ディスプレイ２０２の上部には非接触タグ読取装置２０６を備える。なお、非接触タグ読取装置２０６は、図示をしない固定設置型の端末装置の本体部（いわゆるパソコン）とＵＳＢ接続可能な非接触タグ読取装置２０６として構成してもよい。
【００４１】
看護支援サーバ３００は、上述のＳ５０９においてメモ情報を医療情報データベース３０２に格納する。そこで、本実施形態では、この医療情報データベース３０２から条件１、条件２を満たすメモ情報を抽出して、ディスプレイ２０２に一覧表示する。図８の一覧表示２５０は、条件１「2004/12/08」、条件２「スタッフ：日立看護Ａ」を満たすメモ情報、すなわち2004/12/08に日立看護Ａが行うべき業務が掲載されたメモ情報を示す。一覧表示２５０は「ステータス」レコードを備え、その業務が実施されたか否かを示す「実施（済）」「点滴開始（済）」「点滴終了（未）」が表示される。これらの表示は、看護支援端末２００から受信したメモ情報に実施済みか否かを示す実施情報を付加し、実施情報が付加されたメモ情報を逐次看護支援サーバ３００が格納することにより更新される。
【００４２】
一覧表示２５０のうち、所望する行を選択すると、その行の詳細なメモ情報がディスプレイ２０２に表示される。図８では、上から２行目（網掛けされている行）が選択された行であり、その行の詳細情報は、ディスプレイ２０２の左下領域に、そのメモ情報に関連する画像データがディスプレイ２０２の右下領域に表示される。
【００４３】
図９は、固定設置型の看護支援端末２００に図８の一覧表示２０５を表示している状態で、看護支援サーバ３００から新しいメモ情報の着信情報を受信した状態を示す。固定設置型の看護支援端末２００は、図７の携帯型看護支援端末２００と同様に着信情報をしたことを示すアラーム音を発生させたり、ディスプレイ２０２の右隅に表示した通知ボタン２１６を点滅させたりする。そして、通知ボタン２１６を図示しないマウスによりクリックするとポップアップウィンドウを表示し、新着のメモ情報を表示させてもよい。
【００４４】
本実施の形態により、ユーザに関係するメモ情報を抽出して一覧表示させることにより看護業務の進捗状況をリアルタイムで確認しやすくなるとともに、新着のメモ情報の確認もできる。
【図面の簡単な説明】
【００４５】
【図１】看護支援システムのシステム構成の一例を示すブロック図
【図２】非接触タグ装置の設置例を示す模式図
【図３】看護支援端末の正面図
【図４】看護支援端末のプログラムブロック図
【図５】看護支援システムの処理の流れを示すシーケンス図
【図６】看護携帯端末の画面表示例
【図７】看護携帯端末の通知手段を示す模式図
【図８】看護支援端末に表示されるメモ情報の一覧表示例
【図９】看護支援端末の通知手段を示す模式図
【符号の説明】
【００４６】
１００…看護支援システム、１０１…非接触タグ装置、１０６…ＬＡＮ、１１０…院内情報システム、２００…看護支援端末、３００…看護支援サーバ
【図１】
2006260252.tif 000003
【図２】
2006260252.tif 000004
【図３】
2006260252.tif 000005
【図４】
2006260252.tif 000006
【図５】
2006260252.tif 000007
【図６】
2006260252.tif 000008
【図７】
2006260252.tif 000009
【図８】
2006260252.tif 000010
【図９】
2006260252.tif 000011